(57)【要約】【課題】インターネットの検索結果として提供される一覧表示の中から、目的の商品を販売している実店舗のウェブページを効率的に見つけることができる「インターネット検索装置およびインターネット検索方法」を提供する。【解決手段】現在位置を検出する現在位置検出部７と、当該現在位置が属する行政区画名を取得する行政区画名取得部８と、当該行政区画名を含まないウェブページを除外してインターネット上の検索結果を一覧表示させる情報検索部４とを備え、タイトルや紹介文の中に特定の行政区画名が含まれることのない多くのネットショップのウェブページが検索結果から外され、タイトルや紹介文の中に行政区画名が含まれる実店舗のウェブページが検索結果一覧の中で上位に表示されやすくなるようにする。【選択図】図１
2014167784.tif 000002
【特許請求の範囲】
【請求項１】
現在位置を検出する現在位置検出部と、
地図データに基づいて、上記現在位置検出部により検出された現在位置に対して所定の条件を満たす行政区画の名称を取得する行政区画名取得部と、
上記行政区画名取得部により取得された行政区画名を含まないウェブページを除外してインターネット上の検索結果を一覧表示させる情報検索部とを備えたことを特徴とするインターネット検索装置。
【請求項２】
上記行政区画名取得部は、上記現在位置検出部により検出された現在位置が属する行政区画の名称を取得することを特徴とする請求項１に記載のインターネット検索装置。
【請求項３】
上記行政区画名取得部は、検索エンジンの検索窓に入力されたキーワードに関連する施設で、上記現在位置検出部により検出された現在位置から最も近い距離に存在する施設が属する行政区画の名称を取得することを特徴とする請求項１に記載のインターネット検索装置。
【請求項４】
上記行政区画名取得部は、検索エンジンの検索窓に入力されたキーワードに関連する施設で、上記現在位置検出部により検出された現在位置より先の誘導経路から所定距離以内の位置に存在する施設が属する行政区画の名称を取得することを特徴とする請求項１に記載のインターネット検索装置。
【請求項５】
上記情報検索部は、検索エンジンの検索窓に入力されたキーワードに上記行政区画名取得部により取得された行政区画名を加えてインターネット上の情報を検索し、それにより検索されたウェブページを検索結果として一覧表示させることを特徴とする請求項１に記載のインターネット検索装置。
【請求項６】
商品を販売している実店舗を検索する実店舗検索モードが設定されているか否かを判定するモード判定部を更に備え、
上記情報検索部は、上記モード判定部により上記実店舗検索モードが設定されていると判定された場合に、上記行政区画名取得部により取得された行政区画名を含まないウェブページを除外してインターネット上の検索結果を一覧表示させることを特徴とする請求項１に記載のインターネット検索装置。
【請求項７】
インターネット検索装置が車内で使われていることを検知した場合に、上記実店舗検索モードを設定するモード設定部を更に備えたことを特徴とする請求項６に記載のインターネット検索装置。
【請求項８】
上記情報検索部は、ネットショップの名称を含むウェブページを更に除外して上記検索結果を一覧表示させることを特徴とする請求項１に記載のインターネット検索装置。
【請求項９】
上記情報検索部は、動画サイトの名称を含むウェブページを更に除外して上記検索結果を一覧表示させることを特徴とする請求項７に記載のインターネット検索装置。
【請求項１０】
商品を販売している実店舗を検索する実店舗検索モードが設定されているか否かを判定するモード判定部と、
上記モード判定部により上記実店舗検索モードが設定されていると判定された場合、ネットショップの名称を含むウェブページを除外してインターネット上の検索結果を表示させる情報検索部とを備えたことを特徴とするインターネット検索装置。
【請求項１１】
上記情報検索部は、動画サイトの名称を含むウェブページを除外して上記検索結果を一覧表示させることを特徴とする請求項１０に記載のインターネット検索装置。
【請求項１２】
現在位置を検出する現在位置検出部と、
地図データに基づいて、上記現在位置検出部により検出された現在位置に対して所定の条件を満たす行政区画の名称を取得する行政区画名取得部とを更に備え、
上記情報検索部は、上記モード判定部により上記実店舗検索モードが設定されていると判定された場合、上記行政区画名取得部により取得された行政区画名を含まないウェブページを更に除外して上記検索結果を一覧表示させることを特徴とする請求項１０に記載のインターネット検索装置。
【請求項１３】
上記行政区画名取得部は、上記現在位置検出部により検出された現在位置が属する行政区画の名称を取得することを特徴とする請求項１２に記載のインターネット検索装置。
【請求項１４】
上記行政区画名取得部は、検索エンジンの検索窓に入力されたキーワードに関連する施設で、上記現在位置検出部により検出された現在位置から最も近い距離に存在する施設が属する行政区画の名称を取得することを特徴とする請求項１２に記載のインターネット検索装置。
【請求項１５】
上記行政区画名取得部は、検索エンジンの検索窓に入力されたキーワードに関連する施設で、上記現在位置検出部により検出された現在位置より先の誘導経路から所定距離以内の位置に存在する施設が属する行政区画の名称を取得することを特徴とする請求項１２に記載のインターネット検索装置。
【請求項１６】
上記情報検索部は、上記モード判定部により上記実店舗検索モードが設定されていると判定された場合、検索エンジンの検索窓に入力されたキーワードに上記行政区画名取得部により取得された行政区画名を加えてインターネット上の情報を検索し、それにより検索されたウェブページを検索結果として一覧表示させることを特徴とする請求項１２に記載のインターネット検索装置。
【請求項１７】
インターネット検索装置が車内で使われていることを検知した場合に、上記実店舗検索モードを設定するモード設定部を更に備えたことを特徴とする請求項１０に記載のインターネット検索装置。
【請求項１８】
コンピュータの現在位置検出部が、現在位置を検出する第１のステップと、
上記コンピュータの行政区画名取得部が、地図データに基づいて、上記現在位置検出部により検出された現在位置に対して所定の条件を満たす行政区画の名称を取得する第２のステップと、
上記コンピュータの情報検索部が、上記行政区画名取得部により取得された行政区画名を含まないウェブページを除外してインターネット上の検索結果を一覧表示させる第３のステップとを有することを特徴とするインターネット検索方法。
【請求項１９】
コンピュータのモード判定部が、商品を販売している実店舗を検索する実店舗検索モードが設定されているか否かを判定する第１のステップと、
上記コンピュータの情報検索部が、上記モード判定部により上記実店舗検索モードが設定されていると判定された場合、ネットショップの名称を含むウェブページを除外してインターネット上の検索結果を表示させる第２のステップとを有することを特徴とするインターネット検索方法。
【発明の詳細な説明】
【技術分野】
【０００１】
本発明は、インターネット検索装置およびインターネット検索方法に関し、特に、検索エンジンを用いてインターネット上のウェブページを検索する装置に用いて好適なものである。
【背景技術】
【０００２】
インターネットに存在する情報を検索する機能として、検索エンジンが知られている。検索エンジンは、検索窓と呼ばれるボックスにキーワードを入力して検索をかけるものである。検索エンジンを用いて検索をかけると、検索窓に入力されたキーワードに合致する単語を含むウェブページが抽出され、抽出されたウェブページ（具体的には、そのタイトルや紹介文など）が検索結果として一覧表示されるようになっている。
【０００３】
ところが、キーワードに合致する単語が含まれているウェブページは膨大にあり、その中にはユーザが探そうとしている情報とかけ離れたものが含まれている場合が多い。しかも、検索結果として一覧表示されるウェブページの並び順は検索エンジンのアルゴリズムに依存しているため、検索者の目的に合ったウェブページが上位に表示されるとは限らない。
【０００４】
これに対して、目的とする情報を効率的に検索できるようにすることを目的として、検索結果の表示を並び替えるようにした技術が提案されている（例えば、特許文献１，２参照）。特許文献１に記載の技術では、問い合わせに応じて情報提供サーバから送信されてきたアクセス数などの利用状況に従って、ウェブページの順番を並び替えるようにしている。また、特許文献２に記載の技術では、インターネット上の検索により取得した情報を、文書ファイルから抽出した頻出文字列を用いて並び替えるようにしている。
【先行技術文献】
【特許文献】
【０００５】
【特許文献１】ＷＯ２００９／１５０７３２号公報
【特許文献２】特開２０１２−６８９０８号公報
【発明の概要】
【発明が解決しようとする課題】
【０００６】
検索エンジンでインターネット上の情報を検索する目的の代表例として、商品の購入がある。すなわち、買いたい商品の名称をキーワード入力して検索することにより、その商品を販売している店舗を探すという目的である。最近ではオンライン・ネットショップが広く普及していることもあって、商品名で検索をかけるとネットショップのウェブページがヒットすることが多くなっている。
【０００７】
ネットショップで商品を購入することは色々な手間が省けて便利ではあるが、実際に商品を手に取って確かめた上で購入したいという要望も根強く存在している。この場合にユーザは、目的の商品を販売している実店舗を検索したいのであるが、実際にはネットショップのウェブページが検索結果の一覧表示の中に多く含まれてしまう。そのため、目的とする実店舗のウェブページを効率的に見つけることができないという問題があった。
【０００８】
本発明は、このような問題を解決するために成されたものであり、インターネットの検索結果として提供される一覧表示の中から、目的の商品を販売している実店舗のウェブページを効率的に見つけることができるようにすることを目的とする。
【課題を解決するための手段】
【０００９】
上記した課題を解決するために、本発明では、インターネット検索を行う際に、現在位置が属する行政区画名を取得し、当該取得した行政区画名を含まないウェブページを除外してインターネット上の検索結果を一覧表示させるようにしている。
【００１０】
本発明の他の態様では、ネットショップの名称を含むウェブページを除外してインターネット上の検索結果を表示させるようにしている。
【発明の効果】
【００１１】
上記のように構成した本発明によれば、現在位置が属する行政区画名でウェブページの検索結果が絞り込まれることとなる。ネットショップのウェブページは特定の地域の顧客のみをターゲットとしたものではないから、ウェブページまたはそのタイトルや紹介文等の中に特定の行政区画名が含まれることは少ない。そのため、行政区画名でウェブページの検索結果が絞り込まれることにより、多くのネットショップのウェブページが検索結果から外れ、ウェブページまたはそのタイトルや紹介文等の中に行政区画名が含まれる実店舗のウェブページが検索結果一覧の中で上位に表示されやすくなる。これにより、ユーザは、インターネットの検索結果として提供される一覧表示の中から、目的の商品を販売している実店舗のウェブページを効率的に見つけることができるようになる。
【００１２】
また、本発明の他の特徴によれば、ウェブページまたはそのタイトルや紹介文等の中にネットショップの名称が含まれているウェブページが検索結果から外れ、実店舗のウェブページが検索結果一覧の中で上位に表示されやすくなる。これにより、ユーザは、インターネットの検索結果として提供される一覧表示の中から、目的の商品を販売している実店舗のウェブページを効率的に見つけることができるようになる。
【図面の簡単な説明】
【００１３】
【図１】第１の実施形態によるインターネット検索装置の機能構成例を示すブロック図である。
【図２】情報検索部によって表示部に表示される検索結果（ウェブページの一覧表示）の例を示す図である。
【図３】第１の実施形態による車載機の動作例を示すフローチャートである。
【図４】第２の実施形態によるインターネット検索装置の機能構成例を示すブロック図である。
【図５】第３の実施形態によるインターネット検索装置の機能構成例を示すブロック図である。
【図６】第３の実施形態による車載機およびスマートフォンの動作例を示すフローチャートである。
【図７】第４の実施形態によるインターネット検索装置の機能構成例を示すブロック図である。
【図８】第４の実施形態による行政区画名取得部の動作を説明するための図である。
【図９】第５の実施形態によるインターネット検索装置の機能構成例を示すブロック図である。
【図１０】第５の実施形態による行政区画名取得部の動作を説明するための図である。
【発明を実施するための形態】
【００１４】
（第１の実施形態）
以下、本発明の第１の実施形態を図面に基づいて説明する。図１は、第１の実施形態によるインターネット検索装置の機能構成例を示すブロック図である。第１の実施形態は、インターネット検索装置を車載機１００に実施した場合の構成例を示している。
【００１５】
図１に示すように、第１の実施形態によるインターネット検索装置（車載機１００）は、その機能構成として、操作部１、表示部２、キーワード入力部３、情報検索部４、モード設定部５、地図データ記憶部６、現在位置検出部７、行政区画名取得部８、モード判定部９および除外対象リスト記憶部１０を備えている。
【００１６】
上記各機能ブロック３〜５，７〜９は、ハードウェア、ＤＳＰ（Digital Signal Processor）、ソフトウェアの何れによっても構成することが可能である。例えばソフトウェアによって構成する場合、上記各機能ブロック３〜５，７〜９は、実際にはコンピュータのＣＰＵ、ＲＡＭ、ＲＯＭなどを備えて構成され、ＲＡＭやＲＯＭに記憶されたプログラムが動作することによって実現される。
【００１７】
操作部１は、インターネット検索に関する操作をユーザが行うためのものであり、例えばタッチパネルにより構成されている。例えば、インターネット検索のキーワードを入力したり、後述する実店舗検索モードを設定したりする際に操作部１が用いられる。
【００１８】
表示部２は、インターネット検索に関する情報を表示するためのものであり、例えば液晶ディスプレイにより構成されている。例えば、表示部２は、インターネット検索のキーワードを入力するための検索窓を表示したり、インターネット検索の検索結果を表示したりする。検索窓および検索結果は、何れも情報検索部４により提供される。
【００１９】
キーワード入力部３は、ユーザによる操作部１の操作を通じて検索窓に入力されたキーワードを情報検索部４に対して入力するものである。情報検索部４は、キーワード入力部３により入力されたキーワードを用いて、インターネット上のウェブページを検索する。そして、検索した複数のウェブページ（具体的には、そのタイトルと紹介文。以下同様）の一覧を検索結果として表示部２に表示させる。
【００２０】
本実施形態において、情報検索部４は、後述する実店舗検索モードが設定されている場合と、実店舗検索モードが設定されていない場合（通常検索モード）とでインターネット検索の方法を変える。通常検索モードが設定されている場合、情報検索部４は、上述したようにキーワード入力部３により入力されたキーワードを用いてインターネット上のウェブページを検索し、検索したウェブページを検索結果として表示部２に一覧表示させる。なお、実店舗検索モードが設定されている場合の検索方法については追って説明する。
【００２１】
モード設定部５は、ユーザによる操作部１の操作を通じて、通常検索モードまたは実店舗検索モードの何れかをインターネット検索装置に設定する。例えば、初期状態では通常検索モードが設定されており、ユーザが所定の設定画面を通じて実店舗検索モードを指定すると、モード設定部５は通常検索モードから実店舗検索モードに切り替えて設定する。
【００２２】
地図データ記憶部６は、地図データを記憶するものであり、例えばハードディスク等の記録媒体により構成される。この地図データは、例えばナビゲーション装置におけるルート案内に用いるものであり、道路データや施設データなどを含んでいる。また、この地図データは、緯度・経度情報のような位置情報の他に、行政区画のようなエリア情報も含んでいる。
【００２３】
現在位置検出部７は、車両の現在位置を所定間隔毎に検出するものであり、自立航法センサ、ＧＰＳ受信機、位置計算用ＣＰＵ等で構成されている。自立航法センサは、所定走行距離毎に１個のパルスを出力して車両の移動距離を検出する車速センサ（距離センサ）と、車両の回転角度を検出する振動ジャイロ等の角速度センサ（相対方位センサ）とを含む。自立航法センサは、これらの車速センサおよび角速度センサによって車両の相対位置および方位を検出する。
【００２４】
位置計算用ＣＰＵは、自立航法センサから出力される自車両の相対的な位置および方位のデータに基づいて、絶対的な自車装置（推定車両位置）および車両方位を計算する。また、ＧＰＳ受信機は、複数のＧＰＳ衛星から送られてくる電波をＧＰＳアンテナで受信して、３次元測位処理あるいは２次元測位処理を行って車両の絶対位置および方位を計算する（車両方位は、現時点における自車位置と１サンプリング時間ΔＴ前の自車位置とに基づいて計算する）。
【００２５】
行政区画名取得部８は、地図データ記憶部６に記憶されている地図データに基づいて、現在位置検出部７により検出された現在位置が属する行政区画の名称を取得する。なお、都道府県単位や市区町村単位など、どの単位の行政区画名を取得するかは任意に設計することが可能である。
【００２６】
モード判定部９は、情報検索部４からの問い合わせに応じて、モード設定部５により設定された検索モードを判定する。本実施形態では、モード判定部９は、商品を販売している実店舗を検索する実店舗検索モードが設定されているか否かを判定する。そして、その判定結果を情報検索部４に通知する。
【００２７】
情報検索部４は、モード判定部９により実店舗検索モードが設定されていると判定された場合、行政区画名取得部８により取得された行政区画名が含まれていないウェブページを除外してインターネット上の検索結果を表示部２に一覧表示させる。ここで、情報検索部４は、ウェブページそのものの中に行政区画名が含まれていないウェブページを除外するようにしてもよいし、ウェブページのタイトルや紹介文の中に行政区画名が含まれていないウェブページを除外するようにしてもよい。
【００２８】
ネットショップのウェブページでは、販売商品の産地等を行政区画名で表示していることがある。一方、販売商品の産地等を行政区画名で表示しているネットショップのウェブページであっても、インターネット検索の検索結果として一覧表示されるウェブページのタイトルや紹介文の中には、特定の商品の産地等が記載されることは少ない。よって、ネットショップのウェブページを検索結果の中から効率よく除外するためには、ウェブページのタイトルや紹介文の中に行政区画名が含まれていないウェブページを除外するのが好ましい。
【００２９】
実店舗検索モードが設定されている場合に、行政区画名が含まれていないウェブページを除外する具体的な方法として、情報検索部４は、キーワード入力部３より入力されたキーワードに行政区画名取得部８により取得された行政区画名を加えてインターネット上の情報を検索し、それにより検索されたウェブページを検索結果として表示部２に一覧表示させる。つまり、情報検索部４は、キーワード入力部３より入力されたキーワードと、行政区画名取得部８により取得された行政区画名とでＡＮＤ検索を行う。
【００３０】
除外対象リスト記憶部１０は、実店舗検索モードが設定されている場合に検索結果の中から除外するウェブページの名称を除外対象リストとしてあらかじめ記憶するものであり、例えばハードディスク等の記録媒体により構成される。除外対象とするウェブページの名称は、ネットショップの名称である。さらに、動画サイトの名称を除外対象リストに加えてもよい。
【００３１】
情報検索部４は、行政区画名取得部８により取得された行政区画名が含まれていないウェブページに加え、除外対象リスト記憶部１０に記憶されているネットショップの名称を含むウェブページを更に除外して検索結果を一覧表示させる。除外対象リスト記憶部１０に動画サイトの名称も記憶されている場合、情報検索部４は、動画サイトの名称を含むウェブページを更に除外して検索結果を一覧表示させる。
【００３２】
具体的には、情報検索部４は、キーワード入力部３より入力されたキーワードと行政区画名取得部８により取得された行政区画名とでＡＮＤ検索を行うと同時に、除外対象リスト記憶部１０に記憶されているネットショップの名称および動画サイトの名称でＮＯＴ検索を行う。そして、その検索によりヒットしたウェブページを表示部２に一覧表示させる。
【００３３】
なお、ここに説明した検索の方法は一例に過ぎず、本発明はこの方法に限定されない。例えば、通常検索モードの設定時の同様にまずはキーワード入力部３により入力されたキーワードを用いて検索を行う。その後、その検索により抽出されたウェブページの中から、行政区画名取得部８により取得された行政区画名がタイトルや紹介文の中に含まれていないウェブページと、除外対象リスト記憶部１０に記憶されているネットショップの名称および動画サイトの名称がタイトルや紹介文の中に含まれているウェブページとを除外するようにしてもよい。
【００３４】
図２は、情報検索部４によって表示部２に表示される検索結果（ウェブページの一覧表示）の例を示す図である。なお、図２（ａ）は通常検索モードの設定時における検索結果を示し、図２（ｂ）は実店舗検索モードの設定時における検索結果を示している。ここでは、キーワード入力部３により「○○の鉛筆」というキーワードが入力されるとともに、車両の現在位置が属する行政区画の名称として「小金井市」が行政区画名取得部８により取得された例を示している。
【００３５】
図２（ａ）に示すように、通常検索モードの設定時は、ネットショップのウェブページも実店舗のウェブページも全て検索結果の中に含まれている。これに対して、実店舗検索モードの設定時は、図２（ｂ）に示すように、タイトルまたは紹介文の中に「小金井」という行政区画名が含まれるウェブページのみが検索結果の中に含まれている。かつ、除外対象として指定されているネットショップの名称や動画サイトの名称がタイトルまたは紹介文の中に含まれているウェブページも検索結果から除外されている。これにより、小金井市にある実店舗で「○○の鉛筆」を販売している業者のウェブページが一覧の上位に表示されやすくなり、ユーザが目的とする実店舗のウェブページを探しやすくなっている。
【００３６】
図３は、上記のように構成した第１の実施形態による車載機１００（インターネット検索装置）の動作例を示すフローチャートである。なお、図３に示すフローチャートは、車載機１００においてインターネット検索装置の機能を立ち上げたときに開始する。
【００３７】
まず、キーワード入力部３は、情報検索部４によって表示部２に表示された検索窓にキーワードが入力されて検索実行の指示が行われたか否かを判定する（ステップＳ１）。検索実行の指示が行われていない場合、処理はステップＳ１の判定を繰り返す。一方、検索実行の指示が行われた場合、キーワード入力部３は入力されたキーワードを情報検索部４に供給して、検索実行の指示が行われた旨を通知する。
【００３８】
次に、モード判定部９は、情報検索部４からの問い合わせに応じて、実店舗検索モードが設定されているか否かを判定する（ステップＳ２）。ここで、実店舗検索モードが設定されていない場合、つまり通常検索モードが設定されているとモード判定部９にて判定された場合、情報検索部４は、キーワード入力部３より入力されたキーワードを用いて通常のインターネット検索を実行し（ステップＳ３）、その検索結果を表示部２に一覧表示させる（ステップＳ８）。
【００３９】
一方、実店舗検索モードが設定されているとモード判定部９にて判定された場合、現在位置検出部７は、その時点での車両の現在位置を検出する（ステップＳ４）。また、行政区画名取得部８は、地図データ記憶部６に記憶されている地図データに基づいて、現在位置検出部７により検出された現在位置が属する行政区画名を取得し、情報検索部４に供給する（ステップＳ５）。
【００４０】
さらに、情報検索部４は、除外対象として指定されているネットショップの名称および動画サイトの名称を除外対象リスト記憶部１０から取得する（ステップＳ６）。そして、情報検索部４は、キーワード入力部３より入力されたキーワードと行政区画名取得部８により取得された行政区画名とでＡＮＤ検索を行うと同時に、除外対象リスト記憶部１０から取得したネットショップの名称および動画サイトの名称でＮＯＴ検索を行い（ステップＳ７）、その検索結果を表示部２に一覧表示させる（ステップＳ８）。これにより、図３に示すフローチャートの処理を終了する。
【００４１】
以上詳しく説明したように、第１の実施形態では、商品を販売している実店舗を検索する実店舗検索モードが設定されている場合は、車両の現在位置が属する行政区画名を含まないウェブページを除外してウェブページの検索結果を一覧表示させるようにしている。また、第１の実施形態では、実店舗検索モードが設定されている場合は、ネットショップや動画サイトの名称を含むウェブページを除外してウェブページの検索結果を一覧表示させるようにしている。
【００４２】
このように構成した第１の実施形態によれば、行政区画名でウェブページの検索結果が絞り込まれることにより、多くのネットショップのウェブページが検索結果から外れ、行政区画名が含まれる実店舗のウェブページが検索結果一覧の中で上位に表示されやすくなる。また、ネットショップや動画サイトの名称が含まれているウェブページも検索結果から外れるので、実店舗のウェブページが検索結果一覧の中で上位に一層表示されやすくなる。これにより、ユーザは、インターネットの検索結果として提供される一覧表示の中から、目的の商品を販売している実店舗のウェブページを効率的に見つけることができるようになる。
【００４３】
なお、上記第１の実施形態では、行政区画名によるウェブページの絞り込みと、ネットショップおよび動画サイトの名称によるウェブページの絞り込みとを両方とも適用する例について説明したが、何れか一方のみを適用するようにしてもよい。何れか一方のみを適用した場合でも、実店舗のウェブページ以外のウェブページを検索結果の中から可能な限り除外することができるので、目的の商品を販売している実店舗のウェブページを従来に比べて効率的に見つけることが可能となる。
【００４４】
また、上記第１の実施形態では、ユーザが操作部１を操作することによって通常検索モードまたは実店舗検索モードの何れかをあらかじめ設定しておく例について説明したが、本発明はこれに限定されない。例えば、ユーザが操作部１を操作して検索窓に入力するキーワードの中に、所望の単語の他に“店舗”という単語が含まれている場合は実店舗検索モード、“店舗”という単語が含まれていない場合は通常検索モードに設定するようにしてもよい。このようにすれば、ユーザがインターネット検索を行う都度、通常検索モードにするか実店舗検索モードにするかをその場で簡単に指定することができるというメリットを有する。
【００４５】
（第２の実施形態）
以下、本発明の第２の実施形態を図面に基づいて説明する。図４は、第２の実施形態によるインターネット検索装置の機能構成例を示すブロック図である。なお、この図４において、図１に示した符号と同一の符号を付したものは同一の機能を有するものであるので、ここでは重複する説明を省略する。
【００４６】
第２の実施形態は、本発明のインターネット検索装置をスマートフォン２００に実施した場合の構成例を示している。ここでは、車載機１００とスマートフォン２００とをブルートゥースにより無線接続し、スマートフォン２００で実施したウェブページの検索結果を車載機１００とスマートフォン２００との両方に表示させる例を示している。
【００４７】
図４に示すように、車載機１００は、Ｉ／Ｆ部１１、表示部１２および検索結果入力部１３を備えている。一方、スマートフォン２００は、図１に示した車載機１００の機能構成１〜１０とほぼ同様の構成を備えている。ただし、図４の例において、スマートフォン２００は、図１に示した情報検索部４の代わりにこれと機能が異なる情報検索部２４を備え、モード設定部５の代わりにこれと機能が異なるモード設定部２５を備え、現在位置検出部７の代わりにこれと機能が異なる現在位置検出部２７を備えている。また、スマートフォン２００は、Ｉ／Ｆ部２１を更に備えている。
【００４８】
車載機１００のＩ／Ｆ部１１とスマートフォン２００のＩ／Ｆ部２１は、相互に無線接続してブルートゥースによる通信を行う。車載機１００の検索結果入力部１３は、スマートフォン２００の情報検索部２４からＩ／Ｆ部２１，１１を介して無線通信で送られてきたウェブページの検索結果を入力し、表示部１２に表示させる。
【００４９】
スマートフォン２００のモード設定部２５は、初期状態では通常検索モードに設定している。これに対し、モード設定部２５は、スマートフォン２００が車内で使われていることを検知した場合に、実店舗検索モードを設定する。具体的には、モード設定部２５は、Ｉ／Ｆ部２１が車載機１００のＩ／Ｆ部１１と無線接続している状態（車載機１００とスマートフォン２００とがブルートゥースでペアリングされている状態）を検知したときに、実店舗検索モードを設定する。
【００５０】
情報検索部２４は、通常検索モードが設定されている場合、実店舗検索モードが設定されている場合の何れに関しても、図１に示した情報検索部４と同様のインターネット検索を実行する。この点で情報検索部２４の機能は情報検索部４の機能と同じである。ただし、情報検索部２４は、検索結果を表示部２に表示させることに加え、Ｉ／Ｆ部２１を介して車載機１００に検索結果を無線送信する点で情報検索部４と異なる。
【００５１】
スマートフォン２００の現在位置検出部２７は、図１に示した車載機１００の現在位置検出部７と同様に現在位置を検出するものであるが、自立航法センサは備えておらず、ＧＰＳ受信機で構成されている。すなわち、現在位置検出部２７は、ＧＰＳ受信機のみを用いて現在位置を検出する。
【００５２】
以上のように構成した第２の実施形態においても第１の実施形態と同様に、行政区画名でウェブページの検索結果が絞り込まれるとともに、ネットショップや動画サイトの名称でウェブページの検索結果が絞り込まれるので、多くのネットショップや動画サイトのウェブページが検索結果から外れ、実店舗のウェブページが検索結果一覧の中で上位に表示されやすくなる。これにより、ユーザは、インターネットの検索結果として提供される一覧表示の中から、目的の商品を販売している実店舗のウェブページを効率的に見つけることができるようになる。
【００５３】
さらに、第２の実施形態によれば、スマートフォン２００が車載機１００とブルートゥース接続（ペアリング）されていない場合（つまり、スマートフォン２００を車外で利用している場合）は通常検索モードに自動設定し、スマートフォン２００が車載機１００とブルートゥース接続されている場合（つまり、スマートフォン２００を車内で利用している場合）は実店舗検索モードに自動設定することができる。すなわち、第２の実施形態では、モード設定の切り替えをユーザの操作無しに自動的に行うことができるというメリットを有する。
【００５４】
なお、上記第２の実施形態では、モード設定部５の代わりにモード設定部２５を設ける例について説明したが、モード設定部５を用いてもよい。すなわち、ユーザによる操作部１の操作を通じて、通常検索モードまたは実店舗検索モードの何れかを設定するようにしてもよい。
【００５５】
また、上記実施形態では、地図データ記憶部６、現在位置検出部２７および行政区画名取得部８をスマートフォン２００が備える例について説明したが、本発明はこれに限定されない。例えば、地図データ記憶部６、現在位置検出部２７および行政区画名取得部８は車載機１００が備えるようにしてもよい。
【００５６】
この場合、情報検索部２４は、モード判定部９により実店舗検索モードが設定されていると判定された場合に、車載機１００に問い合わせを行い、現在位置が属する行政区画の名称を車載機１００から無線通信により取得する。このようにすれば、ナビゲーション機能を備えていないスマートフォンを用いる場合にも本発明を実施することが可能である。
【００５７】
（第３の実施形態）
以下、本発明の第３の実施形態を図面に基づいて説明する。図５は、第３の実施形態によるインターネット検索装置の機能構成例を示すブロック図である。なお、この図５において、図１に示した符号と同一の符号を付したものは同一の機能を有するものであるので、ここでは重複する説明を省略する。
【００５８】
第３の実施形態は、車載機１００とスマートフォン２００とをブルートゥースにより無線接続し、ウェブページの検索結果を車載機１００とスマートフォン２００との両方に表示させる例において、本発明のインターネット検索装置を車載機１００に実施した場合の構成例を示している。
【００５９】
第３の実施形態では、インターネット検索機能は車載機１００にもスマートフォン２００にも備えられている。ただし、行政区画名でウェブページの検索結果を絞り込んだり、ネットショップや動画サイトの名称でウェブページの検索結果を絞り込んだりする機能は、車載機１００のみが備えている。
【００６０】
図５に示すように、第３の実施形態において車載機１００は、その機能構成として、表示部２、情報検索部１４、地図データ記憶部６、現在位置検出部７、行政区画名取得部８、除外対象リスト記憶部１０およびＩ／Ｆ部１１を備えている。また、スマートフォン２００は、その機能構成として、操作部３１、表示部３２、キーワード入力部３３、情報検索部３４およびＩ／Ｆ部３５を備えている。
【００６１】
車載機１００のＩ／Ｆ部１１とスマートフォン２００のＩ／Ｆ部３５は、相互に無線接続してブルートゥースによる通信を行う。スマートフォン２００の操作部３１は、インターネット検索に関する操作をユーザが行うためのものであり、例えばタッチパネルにより構成されている。例えば、インターネット検索のキーワードを入力する際に操作部３１が用いられる。
【００６２】
表示部３２は、インターネット検索に関する情報を表示するためのものであり、例えば液晶ディスプレイにより構成されている。例えば、表示部３２は、インターネット検索のキーワードを入力するための検索窓を表示したり、インターネット検索の検索結果を表示したりする。検索窓および検索結果は、何れも情報検索部３４により提供される。
【００６３】
キーワード入力部３３は、ユーザによる操作部３１の操作を通じて検索窓に入力されたキーワードを情報検索部３４に対して入力するものである。情報検索部３４は、キーワード入力部３３により入力されたキーワードを用いて、インターネット上のウェブページを検索する。そして、検索した複数のウェブページの一覧を検索結果として表示部３２に表示させる。このとき表示部３２に表示される検索結果は、第１の実施形態で説明した通常検索モードによる検索結果と同様のものである。
【００６４】
車載機１００のＩ／Ｆ部１１とスマートフォン２００のＩ／Ｆ部３５とがとブルートゥースにより接続（ペアリング）されている場合、情報検索部３４は、上述したキーワードに基づくウェブページの検索結果を表示部３２に表示させる代わりに、Ｉ／Ｆ部３５を介して車載機１００に検索結果を送信する。
【００６５】
車載機１００の情報検索部１４は、スマートフォン２００から送信されてきたウェブページの検索結果をＩ／Ｆ部１１から入力し、その検索結果に対して、行政区画名による絞り込みと、ネットショップや動画サイトの名称による絞り込みを実施する。
【００６６】
すなわち、情報検索部１４は、スマートフォン２００から送られてきたウェブページ一覧の中から、行政区画名取得部８により取得された行政区画名がタイトルや紹介文の中に含まれていないウェブページと、除外対象リスト記憶部１０に記憶されているネットショップの名称および動画サイトの名称がタイトルや紹介文の中に含まれているウェブページとを除外する。
【００６７】
そして、情報検索部１４は、絞り込みを行った結果のウェブページ一覧を最終的な検索結果として表示部２に表示させるとともに、Ｉ／Ｆ部１１を介してスマートフォン２００に返信する。スマートフォン２００では、車載機１００から返信されてきた検索結果をＩ／Ｆ部３５から情報検索部３４に入力し、それを表示部３２に表示させる。このとき表示部２および表示部３２に表示される検索結果は、第１の実施形態で説明した実店舗検索モードによる検索結果と同様のものである。
【００６８】
図６は、上記のように構成した第３の実施形態による車載機１００およびスマートフォン２００の動作例を示すフローチャートである。なお、図６に示すフローチャートは、スマートフォン２００においてインターネット検索機能を立ち上げたときに開始する。
【００６９】
まず、スマートフォン２００のキーワード入力部３３は、情報検索部３４によって表示部３２に表示された検索窓にキーワードが入力されて検索実行の指示が行われたか否かを判定する（ステップＳ１１）。検索実行の指示が行われていない場合、処理はステップＳ１１の判定を繰り返す。一方、検索実行の指示が行われた場合、キーワード入力部３３は、入力されたキーワードを情報検索部３４に供給して、検索実行の指示が行われた旨を通知する。
【００７０】
この通知を受けた情報検索部３４は、キーワード入力部３３より入力されたキーワードを用いて通常のインターネット検索を実行する（ステップＳ１２）。その後、情報検索部３４は、車載機１００とスマートフォン２００とがブルートゥースでペアリングされているか否かを判定する（ステップＳ１３）。
【００７１】
ここで、車載機１００とスマートフォン２００とがブルートゥースでペアリングされていない場合、情報検索部３４はウェブページの検索結果を表示部３２に一覧表示させる（ステップＳ２３）。これにより、図６に示すフローチャートの処理は終了する。一方、ペアリングが行われている場合、情報検索部４はウェブページの検索結果をＩ／Ｆ部３５を介して車載機１００に送信する（ステップＳ１４）。
【００７２】
車載機１００では、スマートフォン２００から送られてくる検索結果を受信する（ステップＳ１５）。そして、車載機１００の現在位置検出部７は、その時点での車両の現在位置を検出する（ステップＳ１６）。また、行政区画名取得部８は、地図データ記憶部６に記憶されている地図データに基づいて、現在位置検出部７により検出された現在位置が属する行政区画名を取得し、情報検索部１４に供給する（ステップＳ１７）。
【００７３】
さらに、情報検索部１４は、除外対象として指定されているネットショップの名称および動画サイトの名称を除外対象リスト記憶部１０から取得する（ステップＳ１８）。そして、情報検索部１４は、行政区画名取得部８により取得された行政区画名と、除外対象リスト記憶部１０から取得したネットショップの名称および動画サイトの名称とを用いて、スマートフォン２００から受信したウェブページ一覧の絞り込み検索を行う（ステップＳ１９）。
【００７４】
そして、情報検索部１４は、絞り込み検索の結果として得たウェブページを表示部２に一覧表示させるとともに（ステップＳ２０）、Ｉ／Ｆ部１１を介してスマートフォン２００に送信する（ステップＳ２１）。スマートフォン２００では、車載機１００から送られてくる絞り込み検索の結果をＩ／Ｆ部３５にて受信し（ステップＳ２２）、それを情報検索部３４が表示部３２に一覧表示させる（ステップＳ２３）。これにより、図６に示すフローチャートの処理は終了する。
【００７５】
以上のように構成した第３の実施形態においても第１の実施形態と同様に、行政区画名でウェブページの検索結果が絞り込まれるとともに、ネットショップや動画サイトの名称でウェブページの検索結果が絞り込まれるので、多くのネットショップや動画サイトのウェブページが検索結果から外れ、実店舗のウェブページが検索結果一覧の中で上位に表示されやすくなる。これにより、ユーザは、インターネットの検索結果として提供される一覧表示の中から、目的の商品を販売している実店舗のウェブページを効率的に見つけることができるようになる。
【００７６】
さらに、第３の実施形態によれば、スマートフォン２００が車載機１００とブルートゥース接続されていない場合（車外で利用している場合）は、第１の実施形態で説明した通常検索モード時のインターネット検索と同様の検索結果を得ることができる。また、スマートフォン２００が車載機１００とブルートゥース接続されている場合（車内で利用している場合）は、第１の実施形態で説明した実店舗検索モード時のインターネット検索と同様の検索結果を得ることができる。第３の実施形態では、このような検索方法の切り替えをユーザの操作無しに自動的に行うことができるというメリットを有する。
【００７７】
なお、ここでは、車載機１００が情報検索部１４を備え、スマートフォン２００での検索結果を更に絞り込み検索する機能だけを備える例について説明したが、本発明はこれに限定されない。例えば、図１に示した操作部１およびキーワード入力部３の機能を車載機１００に持たせるとともに、図１に示した情報検索部４の機能を情報検索部１４にも持たせることにより、スマートフォン２００を接続せずに車載機１００単独でもインターネット検索を行えるようにしてもよい。この場合、車載機１００は、モード設定部５（またはモード設定部２５）およびモード判定部９を備えるのが好ましい。
【００７８】
また、上記第１〜第３の実施形態では、車両の現在位置が属する行政区画の名称を含まないウェブページや、除外対象として指定されたネットショップや動画サイトの名称を含むウェブページを検索結果から完全に除外する例について説明したが、本発明はこれに限定されない。例えば、検索結果として表示する一覧の上位ｎ位（ｎは任意の数）までの範囲から除外する（つまり、表示優先順位を下げる）ようにしてもよい。
【００７９】
（第４の実施形態）
次に、本発明の第４の実施形態を図面に基づいて説明する。図７は、第４の実施形態によるインターネット検索装置の機能構成例を示すブロック図である。なお、この図７において、図１に示した符号と同一の符号を付したものは同一の機能を有するものであるので、ここでは重複する説明を省略する。
【００８０】
図７に示すように、第４の実施形態によるインターネット検索装置では、図１に示した行政区画名取得部８に代えて、これとは機能が異なる行政区画名取得部８’を備えている。行政区画名取得部８’は、キーワード入力部３により入力されたキーワードに関連する施設で、現在位置検出部７により検出された現在位置から最も近い距離に存在する施設が属する行政区画の名称を取得する。
【００８１】
ここで、キーワードに関連する施設とは、現在位置が属する行政区画の名称を入力キーワードに加えて情報検索部４により検索されたウェブページのタイトルまたは紹介文に記述されている施設である。キーワード入力部３により入力されたキーワードが施設名の場合、検索されたウェブページのタイトルまたは紹介文には入力キーワードと同じ施設名が記述されている。また、入力キーワードが商品名の場合、図２（ｂ）に示したように、検索されたウェブページのタイトルまたは紹介文にはその商品を取り扱っている施設名が記述されている。行政区画名取得部８’は、この施設名に該当する施設を地図データに基づいて検出し、当該施設が現在位置から最も近い距離に存在する行政区画の名称を取得する。
【００８２】
すなわち、キーワード入力部３によりキーワードが入力された場合、まず行政区画名取得部８’は、第１の実施形態と同様に、現在位置検出部７により検出された現在位置が属する行政区画の名称を地図データ記憶部６から取得する。そして、情報検索部４は、行政区画名取得部８’により取得された行政区画名を入力キーワードに加え、インターネット上のウェブページを検索する。
【００８３】
次に、行政区画名取得部８’は、情報検索部４により検索されたウェブページのタイトルまたは紹介文から施設名を抽出し、当該施設名に該当する施設を、地図データ記憶部６に記憶されている地図データに基づいて検出する。ここで、図８に示すように、入力キーワードに関連する施設（候補１〜３）が複数検出された場合、行政区画名取得部８’は、現在位置検出部７により検出された現在位置ＶＰから最も近い距離に存在する施設（候補３）を特定し、当該特定した施設が存在する行政区画の名称を取得する。
【００８４】
情報検索部４は、以上のようにして行政区画名取得部８’により取得された行政区画名を入力キーワードに加えてインターネット上の情報を改めて検索し、それにより検索されたウェブページを検索結果として表示部２に一覧表示させる。このとき情報検索部４は、除外対象リスト記憶部１０に記憶されているネットショップの名称や動画サイトの名称を含むウェブページを除外して検索結果を一覧表示させる。
【００８５】
あるいは、情報検索部４は、入力キーワードを用いた検索により抽出されたウェブページの中から、以上のようにして行政区画名取得部８’により取得された行政区画名がタイトルや紹介文の中に含まれていないウェブページと、除外対象リスト記憶部１０に記憶されているネットショップの名称および動画サイトの名称がタイトルや紹介文の中に含まれているウェブページとを除外して表示部２に一覧表示させるようにしてもよい。
【００８６】
図８に示すように、目的の商品を販売している実店舗が複数の行政区画に存在する場合において、車両が行政区画の境界に近い位置にいるときは、現在位置が属する行政区画よりも、それに隣接する他の行政区画にある実店舗の方が現在位置から近いことがあり得る。第４の実施形態によれば、現在位置から目的の施設までの距離が最も短くなる行政区画の名称が含まれる実店舗のウェブページが検索結果一覧の中で上位に表示されやすくなる。これにより、ユーザは、インターネットの検索結果として提供される一覧表示の中から、目的の商品を販売している実店舗で現在位置から最も近い実店舗のウェブページを効率的に見つけることができるようになる。
【００８７】
なお、上記第４の実施形態では、図１に示した構成の変形例として構成する例について説明したが、図４または図５に示した構成の変形例として構成するようにしてもよい。
【００８８】
（第５の実施形態）
次に、本発明の第５の実施形態を図面に基づいて説明する。図９は、第５の実施形態によるインターネット検索装置の機能構成例を示すブロック図である。なお、この図９において、図１に示した符号と同一の符号を付したものは同一の機能を有するものであるので、ここでは重複する説明を省略する。
【００８９】
図９に示すように、第５の実施形態によるインターネット検索装置では、図１に示した行政区画名取得部８に代えて、これとは機能が異なる行政区画名取得部８”を備えている。行政区画名取得部８”は、キーワード入力部３により入力されたキーワードに関連する施設で、現在位置検出部７により検出された現在位置より先の誘導経路から所定距離以内の位置に存在する施設が属する行政区画の名称を取得する。
【００９０】
ここで、キーワードに関連する施設は、第４の実施形態で説明したものと同様である。すなわち、現在位置が属する行政区画の名称を入力キーワードに加えて情報検索部４により検索されたウェブページのタイトルまたは紹介文に記述されている施設である。
【００９１】
すなわち、キーワード入力部３によりキーワードが入力された場合、まず行政区画名取得部８”は、現在位置検出部７により検出された現在位置が属する行政区画の名称を地図データ記憶部６から取得する。そして、情報検索部４は、行政区画名取得部８”により取得された行政区画名を入力キーワードに加え、インターネット上のウェブページを検索する。
【００９２】
次に、行政区画名取得部８”は、情報検索部４により検索されたウェブページのタイトルまたは紹介文から施設名を抽出し、当該施設名に該当する施設を、地図データ記憶部６に記憶されている地図データに基づいて検出する。このとき、行政区画名取得部８”は、図１０に示すように、現在位置検出部７により検出された現在位置ＶＰより先の誘導経路から所定距離以内の位置に存在する施設（候補２）が属する行政区画の名称を取得する。
【００９３】
情報検索部４は、以上のようにして行政区画名取得部８”により取得された行政区画名を入力キーワードに加えてインターネット上の情報を改めて検索し、それにより検索されたウェブページを検索結果として表示部２に一覧表示させる。このとき情報検索部４は、除外対象リスト記憶部１０に記憶されているネットショップの名称や動画サイトの名称を含むウェブページを除外して検索結果を一覧表示させる。
【００９４】
あるいは、情報検索部４は、入力キーワードを用いた検索により抽出されたウェブページの中から、以上のようにして行政区画名取得部８”により取得された行政区画名がタイトルや紹介文の中に含まれていないウェブページと、除外対象リスト記憶部１０に記憶されているネットショップの名称および動画サイトの名称がタイトルや紹介文の中に含まれているウェブページとを除外して表示部２に一覧表示させるようにしてもよい。
【００９５】
以上のように構成した第５の実施形態によれば、入力キーワードに関連する施設が複数存在する場合、誘導経路に沿って走る予定のない行政区画は除外され、目的の施設が誘導経路の近くある行政区画の名称が含まれる実店舗のウェブページが検索結果一覧の中で上位に表示されやすくなる。これにより、ユーザは、インターネットの検索結果として提供される一覧表示の中から、目的の商品を販売している実店舗で誘導経路から近い位置にある実店舗のウェブページを効率的に見つけることができるようになる。
【００９６】
なお、上記第５の実施形態では、図１に示した構成の変形例として構成する例について説明したが、図４または図５に示した構成の変形例として構成するようにしてもよい。
【００９７】
また、上記第４の実施形態と第５の実施形態とを別々に説明したが、これらを組み合わせて適用するようにしてもよい。例えば、誘導経路が引かれていない場合は第４の実施形態を適用し、誘導経路が引かれている場合は第５の実施形態を適用する。
【００９８】
その他、上記第１〜第５の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００９９】
４，１４，２４  情報検索部
５，２５  モード設定部
６  地図データ記憶部
７，２７  現在位置検出部
８，８’，８”  行政区画名取得部
９  モード判定部
１０  除外対象リスト記憶部
【図１】
2014167784.tif 000003
【図２】
2014167784.tif 000004
【図３】
2014167784.tif 000005
【図４】
2014167784.tif 000006
【図５】
2014167784.tif 000007
【図６】
2014167784.tif 000008
【図７】
2014167784.tif 000009
【図８】
2014167784.tif 000010
【図９】
2014167784.tif 000011
【図１０】
2014167784.tif 000012